(57)【特許請求の範囲】
【請求項１】
干渉可能な原光を発生する光源と、
前記光源からの原光を測定光と参照光とに分割する光束分割部と、
前記測定光を被測定物の被測定面に対して斜めに照射する照射部と、
前記被測定面で反射された前記測定光と前記参照光とを合成する光束合成部と、
前記光束合成部で合成された光束を受光する受光部と、を有する斜入射干渉計において、
前記光源、前記光束分割部、前記照射部、前記光束合成部および前記受光部が設置された干渉計本体と、
前記被測定物を保持する基台と、
前記基台に設置されかつ前記干渉計本体を支持するとともに、前記干渉計本体を前記被測定物に沿って移動可能な移動機構と、
前記基台に固定されかつ前記移動機構による前記干渉計本体の移動軸線の延長上に配置された補助反射鏡と、
前記干渉計本体に設置されかつ前記光源からの前記原光から補助光を分割して前記補助反射鏡に照射する補助光束分割部と、
前記干渉計本体に設置されかつ前記補助反射鏡で反射された前記補助光を受光する補助受光部と、を有し、
前記補助受光部は、前記補助反射鏡からの前記補助光を集光するレンズと、前記レンズの焦点位置に配置された平面受光素子と、を有することを特徴とする斜入射干渉計。
【請求項２】
干渉可能な原光を発生する光源と、
前記光源からの原光を測定光と参照光とに分割する光束分割部と、
前記測定光を被測定物の被測定面に対して斜めに照射する照射部と、
前記被測定面で反射された前記測定光と前記参照光とを合成する光束合成部と、
前記光束合成部で合成された光束を受光する受光部と、を有する斜入射干渉計において、
前記光源、前記光束分割部、前記照射部、前記光束合成部および前記受光部が設置された干渉計本体と、
前記被測定物を保持する基台と、
前記基台に設置されかつ前記干渉計本体を支持するとともに、前記干渉計本体を前記被測定物に沿って移動可能な移動機構と、
前記基台に固定されかつ前記移動機構による前記干渉計本体の移動軸線の延長上に配置された補助反射鏡と、
前記干渉計本体に設置されかつ前記光源からの前記原光から補助光を分割して前記補助反射鏡に照射する補助光束分割部と、
前記干渉計本体に設置されかつ前記補助反射鏡で反射された前記補助光を受光する補助受光部と、を有し、
前記補助受光部は、前記干渉計本体に設置されかつ前記補助光束分割部から前記補助反射鏡に至る光路中に配置されたハーフミラーと、前記補助反射鏡からの前記補助光と前記ハーフミラーで反射された光との合成光束を受光する平面受光素子を有することを特徴とする斜入射干渉計。
【請求項３】
干渉可能な原光を発生する光源と、
前記光源からの原光を測定光と参照光とに分割する光束分割部と、
前記測定光を被測定物の被測定面に対して斜めに照射する照射部と、
前記被測定面で反射された前記測定光と前記参照光とを合成する光束合成部と、
前記光束合成部で合成された光束を受光する受光部と、を有する斜入射干渉計において、
前記光源、前記光束分割部、前記照射部、前記光束合成部および前記受光部が設置された干渉計本体と、
前記被測定物を保持する基台と、
前記基台に設置されかつ前記干渉計本体を支持するとともに、前記干渉計本体を前記被測定物に沿って移動可能な移動機構と、
前記基台に固定されかつ前記移動機構による前記干渉計本体の移動軸線の延長上に配置された補助反射鏡と、
前記干渉計本体に設置されかつ前記光源からの前記原光から補助光を分割して前記補助反射鏡に照射する補助光束分割部と、
前記干渉計本体に設置されかつ前記補助反射鏡で反射された前記補助光を受光する補助受光部と、を有し、
前記補助受光部は、前記補助反射鏡からの補助光と前記光源からの前記原光とを合成して前記光束合成部に送る補助光束合成部と、前記補助光束分割部から前記補助反射鏡を経て前記補助光束合成部を通る前記補助光の光路中に設置されて前記補助光の光束のうち所定の補助光領域の光束のみを透過させる補助マスクと、を有し、
前記光束分割部、前記照射部、前記光束合成部の何れかは、前記測定光の光路中に設置されて前記測定光の光束のうち所定の測定光領域の光束のみを透過させる測定マスクを有し、
前記補助マスクの補助光領域と前記測定マスクの測定光領域とは互いに重ならないように設定されていることを特徴とする斜入射干渉計。
【請求項４】
請求項３に記載した斜入射干渉計において、前記測定光領域は前記光束の内側に配置され、前記補助光領域は前記測定光領域の外側に環状に配置されていることを特徴とする斜入射干渉計。
【発明の詳細な説明】
【技術分野】
【０００１】
本発明は、斜入射干渉計に関する。
【背景技術】
【０００２】
従来、加工物表面の形状を測定するための種々の干渉計が知られている。
干渉計としては、垂直入射の干渉計が汎用されている。
垂直入射の干渉計は、光の長さを基準とした高精度な測定手法である反面、波長の半分以上の不連続な段差や、画像の隣り合う画素間で波長の半分以上の高さの変化があるような大きなうねりを持った測定対象物の形状は測定できない。
このような垂直入射型では測定できない大きな凹凸を測定できるものとして、斜入射干渉計が知られている（特許文献１参照）。
【０００３】
斜入射干渉計では、光を斜め方向から照射し、反射光を得ることで、見かけ上の波長を長くすることが可能で、測定対象物の凹凸に対する波面の変化量を意図的に小さくすることが出来る。また、測定光を斜めから入射させることで、反射光の方向が揃うため、粗面でも光沢面の場合のような鮮明な干渉縞が得られる。
斜入射干渉計において、１波長分の光路長差を表す距離は一般的に縞感度と呼ばれ、干渉縞１本あたりの高低差Λ＝λ／２ｃｏｓθ（μｍ）で表わされる（λは測定光の波長、θは入射角度）。
この縞感度は、測定光の入射角度と光源となるレーザの波長によって決まる。例えば、レーザの波長を固定とみなすと、縞感度は入射角度のみによって決まる。そのため、入射角度は、測定対象物の面性状や要求される測定精度を考慮して設定される。
【０００４】
斜入射干渉計の測定対象としては、前述の様に垂直入射干渉計では測定が困難な比較的大きなうねりを持つ面または粗面（非鏡面）が想定されており、代表的な測定対象として、各種ウェハやＦＰＤ（フラットパネルディスプレイ）用ガラスなどがある。
これらのＦＰＤ等においては、その研磨前段階での平面度管理が高精度化の為に重要であるとされており、斜入射干渉計による高精度な平面度測定が大いに期待されている。近年では、大画面テレビ等への適用から特にＦＰＤの大型化が進んでおり、大型・高精度非鏡面の測定対象に対する平面度管理へのニーズが増大している。
このような大型化の要望に対して、斜入射干渉計の測定範囲を広域化するために、次のような対応が検討されている。
【０００５】
第１に、斜入射干渉計における測定光の入射角度を大きくすることで、測定領域を拡大することができる。
斜入射干渉計において、入射角度を大きくすると、測定対象表面の照射領域はレーザ光束の径よりも入射方向に沿って引き延ばされた楕円領域となり、これにより測定領域が拡大される。しかし、測定領域が拡大された分、測定分解能が同時に低下するため、求める測定精度によっては、この方法は好ましくない場合がある。
【０００６】
第２に、測定対象の測定すべき面を複数の区画に分割し、干渉計を移動させながら各区画を順次測定してゆき、測定動作終了後に各区画の測定結果を繋ぎ合わせることで、測定対象の測定すべき面の全面形状を算出することができる。
このような走査測定としては、垂直入射型の干渉計での提案がなされている（特許文献２）。同文献では、垂直入射型の干渉計で測定対象の鏡面を測定するとともに、別の干渉計で垂直入射型の干渉計の姿勢を正確に把握することで、各区画の測定結果を繋ぎ合わせ精度を確保している。
このような走査測定を斜入射干渉計に適用することで、斜入射干渉計における高さ分解能を維持したまま、広範囲な測定を行うことができる。
【先行技術文献】
【特許文献】
【０００７】
【特許文献１】特開２０１０−３２３４２号公報
【特許文献２】特開２０００−８８５５１号公報
【発明の概要】
【発明が解決しようとする課題】
【０００８】
前述した斜入射干渉計の測定範囲を広域化する手段として、斜入射干渉計の入射角度の拡大は、分解能の低下が高精度化に適さないうえ、入射角度で拡大できる測定範囲には限界がある。
一方、斜入射干渉計を利用した走査測定では、測定区画を繋ぎ合わせてゆくことで測定範囲の大幅な拡大が可能である。
【０００９】
しかし、このような走査測定を行うためには、測定対象の表面を測定する斜入射干渉計を移動機構に支持するとともに、斜入射干渉計の姿勢を測定する別の干渉計が必要となる。干渉計においては、レーザ発振器、光学経路、受光部分という一連の機器が必要であり、別の干渉計を用いることで前述の各機器が二重化することになり、構造的な複雑化、メンテナンス等の煩雑化、コストの上昇などの問題が避けられない。
【００１０】
本発明の主な目的は、測定範囲を拡大できるとともに機器の簡略化が可能な斜入射干渉計を提供することにある。
【課題を解決するための手段】
【００１１】
本発明は、測定範囲の拡大に斜入射干渉計による走査測定を採用するとともに、走査測定を行う際の斜入射干渉計の姿勢を測定する光学系として、測定対象の表面を測定する光学系の要素との共用化を図ることで、機器の簡略化を実現しようとするものである。
このために、本発明は下記のような具体的構成を備える。
【００１２】
本発明の斜入射干渉計は、干渉可能な原光を発生する光源と、前記光源からの原光を測定光と参照光とに分割する光束分割部と、前記測定光を被測定物の被測定面に対して斜めに照射する照射部と、前記被測定面で反射された前記測定光と前記参照光とを合成する光束合成部と、前記光束合成部で合成された光束を受光する受光部と、を有する斜入射干渉計において、前記光源、前記光束分割部、前記照射部、前記光束合成部および前記受光部が設置された干渉計本体と、前記被測定物を保持する基台と、前記基台に設置されかつ前記干渉計本体を支持するとともに、前記干渉計本体を前記被測定物に沿って移動可能な移動機構と、前記基台に固定されかつ前記移動機構による前記干渉計本体の移動軸線の延長上に配置された補助反射鏡と、前記干渉計本体に設置されかつ前記光源からの前記原光から補助光を分割して前記補助反射鏡に照射する補助光束分割部と、前記干渉計本体に設置されかつ前記補助反射鏡で反射された前記補助光を受光する補助受光部と、を有することを特徴とする。
【００１３】
このような本発明において、干渉計本体に設置される光源、光束分割部、照射部、光束合成部および受光部としては、既存の斜入射干渉計の要素を適宜利用することができる。
受光部で受光した光束に生じる干渉縞から被測定物の形状を測定する際には、画像処理を行う測定部が用いられる。このような測定部としては、例えば外部接続されたパーソナルコンピュータ等、既存の斜入射干渉計と同様な構成を適宜利用することができる。測定部は、干渉計本体の外部に設置してもよいが、干渉計本体に内蔵されるものでもよい。
【００１４】
このような構成では、干渉計本体に設置された光源、光束分割部、照射部、光束合成部および受光部（測定光学系）により、被測定面つまり基台に載置された被測定物の表面の所定領域の表面形状が測定できる。
ここで、前述した干渉計本体に設置された測定光学系（光源ないし受光部）によって一時に測定できる測定領域の広さは有限である。このため、被測定面が大きい場合には、その表面を複数の区画に分けて走査測定を行うこととし、移動機構により干渉計本体を順次各区画に移動させ、複数の区画を繋ぎ合わせて被測定面の全体をカバーする。
【００１５】
走査測定にあたっては、干渉計本体を移動させる移動機構の制御系からの位置情報に基づいて、干渉計本体の基台に対する位置を取得する。また、基台に固定された補助反射鏡と、干渉計本体に設置された補助光束分割部および補助受光部とを含む（補助光学系）により、補助反射鏡で反射されてきた補助光の状態を測定し、干渉計本体の基台に対する傾き等の姿勢変化を高精度に検出する。そして、この干渉計本体の姿勢変化に基づいて、前述した干渉計本体の位置を補正し、高精度な位置情報とする。このような高精度な位置情報により、複数区画の測定結果の繋ぎ合わせの精度を高め、その結果、高精度な走査測定を実現することができる。
【００１６】
本発明の斜入射干渉計において、前記補助受光部は、前記補助反射鏡からの前記補助光を集光するレンズと、前記レンズの焦点位置に配置された平面受光素子と、を有する構成とすることができる。
【００１７】
このような構成では、補助反射鏡から反射された補助光は、レンズを経由して平面受光素子の表面に焦点をむすぶ。この焦点の平面受光素子上の投影位置は、補助反射鏡つまり基台に対する干渉計本体の姿勢変化に応じて変化するため、平面受光素子における受光位置から干渉計本体の姿勢を測定することができる。
【００１８】
本発明の斜入射干渉計において、前記補助受光部は、前記干渉計本体に設置されかつ前記補助光束分割部から前記補助反射鏡に至る光路中に配置されたハーフミラーと、前記補助反射鏡からの前記補助光と前記ハーフミラーで反射された光との合成光束を受光する平面受光素子とを有する構成とすることができる。
【００１９】
このような構成では、補助光束分割部からの補助光は、一部がハーフミラーで反射されて平面受光素子へ送られ、残る部分はハーフミラーを透過して補助反射鏡で反射され、再びハーフミラーを透過して平面受光素子へ送られる。平面受光素子においては、前述したふたつの反射光の合成光束を受光し、この合成光束にはハーフミラーと補助反射鏡との間の光路にあらわれる差異、とくに基台に対する干渉計本体の姿勢変動に応じた干渉縞を生じる。従って、平面受光素子における干渉縞を測定することで、干渉計本体の姿勢を測定することができる。
【００２０】
本発明の斜入射干渉計において、前記補助受光部は、前記補助反射鏡からの補助光と前記光源からの前記原光とを合成して前記光束合成部に送る補助光束合成部と、前記補助光束分割部から前記補助反射鏡を経て前記補助光束合成部を通る前記補助光の光路中に設置されて前記補助光の光束のうち所定の補助光領域の光束のみを透過させる補助マスクと、を有し、前記光束分割部、前記照射部、前記光束合成部の何れかは、前記測定光の光路中に設置されて前記測定光の光束のうち所定の測定光領域の光束のみを透過させる測定マスクを有し、前記補助マスクの補助光領域と前記測定マスクの測定光領域とは互いに重ならないように設定されている構成とすることができる。
【００２１】
このような構成では、補助光束合成部により、補助反射鏡からの補助光と光源からの原光とを合成し、この合成光束を光束合成部へ送ることで、補助光学系の受光機能と測定光学系の受光機能を共用化することができる。すなわち、測定光学系の光源を共用するとともに、補助受光部は測定光学系の要素（光束分割部ないし受光部）を共用することができ、これにより機器の簡略化が可能である。
すなわち、合成光束のうちの補助光部分は、光束分割部から光束合成部を経て受光部に送られ、原光との干渉縞から干渉計本体の姿勢が測定される。一方、合成光束のうちの原光部分は、光束分割部で一部が参照光としてそのまま光束合成部へ送られるが、他の部分は測定光として照射部および被測定面を経て光束合成部へ送られ、参照光との干渉縞から被測定面の形状が測定される。
【００２２】
ここで、補助光束合成部以降の光路において、補助光学系の補助光および原光と、測定光学系の参照光および測定光とを独立して通過させるために、補助マスクおよび測定マスクが用いられる。
すなわち、補助マスクは、元の原光の光束断面のうち特定の補助光領域のみを透過させるように形成され、補助光束合成部で原光と合成されるまでの段階で補助光の光束を補助光領域のみに限定する。従って、補助光束合成部以降の光路において、補助光領域を通る光束は専ら補助光学系の補助光および原光の合成光束となる。
一方、測定マスクは、元の原光の光束断面のうち前述した補助光領域とは逆転した測定光領域のみを透過させるように形成され、光束分割部以降の測定光の光束を測定光領域のみに限定する。従って、光束合成部以降の光路において、測定光領域を通る光束は専ら測定光学系の参照光および測定光の合成光束となる。
【００２３】
以上から、光束合成部を経て受光部で受光される光束は、測定光領域において参照光および測定光の干渉縞に基づく被測定面の形状測定が可能となり、補助光領域において原光および補助光の干渉縞に基づく干渉計本体の姿勢検出が可能となる。
外部の測定部においては、予め補助マスクの補助光領域と測定マスクの測定光領域を登録しておくことで、受光した光束のうち前記測定光領域の光束から前記被測定面の形状を測定するとともに、前記補助光領域の光束から前記干渉計本体の姿勢を測定することができ、これにより機器の共用化を更に強化することができる。
【００２４】
本発明の斜入射干渉計で、補助マスクおよび測定マスクを用いる構成においては、前記測定光領域は前記光束の内側に配置され、前記補助光領域は前記測定光領域の外側に環状に配置されていることが好ましい。
【００２５】
このような構成では、補助光領域と測定光領域とが同心状に配置されるため、それぞれが点対称で方向性の制約を受けることがない。また、補助光領域と測定光領域とがそれぞれ一体の領域であるため、干渉縞の検出が確実に行える。特に、測定光領域を内側とすることで、より大きな面積を確保することができ、被測定面の形状測定の精度を十分に確保することができる。
なお、補助光領域と測定光領域とを同心状とするにあたっては、各々を同軸の円形に配置してもよく、矩形の同心形状としてもよく外周矩形の補助光領域の内側に円形の測定光領域を形成してもよい。
【図面の簡単な説明】
【００２６】
【図１】本発明の第１実施形態の全体構成を示す斜視図。
【図２】前記実施形態の光学要素を示す模式図。
【図３】前記実施形態の測定マスクを示す模式図。
【図４】前記実施形態の補助マスクを示す模式図。
【図５】前記実施形態の原光および参照光の分布を示す模式図。
【図６】前記実施形態の測定光の分布を示す模式図。
【図７】前記実施形態の補助光の分布を示す模式図。
【図８】前記実施形態の検出光束の分布を示す模式図。
【図９】前記測定マスクの変形例を示す模式図。
【図１０】前記測定マスクの変形例を示す模式図。
【図１１】本発明の第２実施形態の光学要素を示す模式図。
【図１２】本発明の第３実施形態の光学要素を示す模式図。
【発明を実施するための形態】
【００２７】
〔第１実施形態〕
図１ないし図１０には、本発明の第１実施形態が示されている。
図１において、斜入射干渉計１は、被測定物Ｗを保持する基台１０と、基台１０に設置された移動機構２０と、移動機構２０に支持された干渉計本体３０とを備えている。
基台１０は、三次元測定機等に用いられる定盤と同様のものであり、上面は正確な水平面とされている。
【００２８】
移動機構２０は、基台１０の上面に立設された一対のコラム２１と、同コラム２１間に架け渡されたビーム２２とを有し、ビーム２２に沿って移動可能なキャリッジ（図示省略）を有する。
ビーム２２には、キャリッジを駆動する駆動機構と、キャリッジの移動位置を検出するエンコーダとが内蔵されている（各々図示省略）。このため、移動機構２０は、駆動機構によってキャリッジをビーム２２に沿った任意位置へと移動させるとともに、エンコーダによって基台１０に対するキャリッジの正確な現在位置を取得することができる。
【００２９】
干渉計本体３０は、移動機構２０のキャリッジに支持されたケース３１を有し、ケース３１には、図２に示すような測定光学系４０および補助光学系５０を構成する光学要素が設置されている。
【００３０】
測定光学系４０は、光源４１、光束分割部４２、照射部４３、光束合成部４４および受光部４５を有する。
光源４１は、干渉可能な原光Ｌｏを発生する。
光束分割部４２は、光源４１からの原光Ｌｏを測定光Ｌｍと参照光Ｌｒとに分割する。
照射部４３は、測定光Ｌｍを被測定物Ｗの被測定面Ｓに対して斜めに照射する。
光束合成部４４は、被測定面Ｓで反射された測定光Ｌｍと光束分割部４２からの参照光Ｌｒとを合成する。
受光部４５は、光束合成部４４で合成された検出光束Ｌｄを受光する。
これらの測定光学系４０を構成する光学要素については後に詳述する。
【００３１】
このような測定光学系４０が干渉計本体３０に設置されていることで、干渉計本体３０は被測定物Ｗの被測定面Ｓの形状を測定することができる。
この際、干渉計本体３０を一定位置に停止させた状態で測定できる被測定面Ｓの範囲は図１に示す測定範囲Ａとなる。この測定範囲Ａは、被測定物Ｗの被測定面Ｓよりも小さいが、干渉計本体３０を移動機構２０により複数位置へ移動させ、各位置で測定を行うことにより、各位置において得られる測定範囲Ａ分の測定データを繋ぎ合わせることで、被測定面Ｓの全体の測定データを得ることができる（走査測定）。
【００３２】
補助光学系５０は、補助反射鏡５１、補助光束分割部５２、補助受光部５５を有する。
補助反射鏡５１は、基台１０に固定され、移動機構２０による干渉計本体３０の移動軸線の延長上に配置されている。
補助光束分割部５２は、干渉計本体３０に設置され、光源４１からの原光Ｌｏから補助光Ｌａを分割し、この補助光Ｌａを補助反射鏡５１に照射する。
補助受光部５５は、干渉計本体３０に設置され、補助反射鏡５１で反射された補助光Ｌａを受光する。
【００３３】
本実施形態では、補助受光部５５は補助光束合成部５４および補助マスク５９を有し、測定光学系４０には補助マスク５９に対応する測定マスク５８が設けられる。
補助光束合成部５４は、補助反射鏡５１からの補助光Ｌａと光源４１からの原光Ｌｏとを合成して光束合成部４４に送る。なお、詳細は後述するが、本実施形態において、補助光束合成部５４は補助光束分割部５２により兼用される。
これらの補助光学系５０を構成する光学要素については後に詳述する。
【００３４】
補助マスク５９は、補助光束分割部５２から補助反射鏡５１を経て補助光束合成部５４を通る補助光Ｌａの光路中に設置され、補助光Ｌａの光束のうち所定の補助光領域Ａａの光束のみを透過させる。
測定マスク５８は、光束分割部４２から照射部４３を経て光束合成部４４に至る測定光Ｌｍの光路中に設置され、測定光Ｌｍの光束のうち所定の測定光領域Ａｍの光束のみを透過させる。
【００３５】
補助マスク５９および測定マスク５８において、特定の光束のみを透過させる手段としては、透過させない領域を遮蔽するように形成されたマスクプレートを光路中に設置すること、レンズやミラーの表面に遮蔽皮膜あるいは光を散乱させる表面処理によるマスクパターンを形成すること等が利用できる。
補助マスク５９の補助光領域Ａａと測定マスク５８の測定光領域Ａｍとは、互いに重ならないように設定される。
このような補助光領域Ａａおよび測定光領域Ａｍとしては、例えば同心円状の区画が利用できる。
【００３６】
図５において、原光Ｌｏが円形である場合に、内側に小さい円形の測定光領域Ａｍを形成し、その外側に円環状の補助光領域Ａａを形成することができる。
このような同心円状の補助光領域Ａａおよび測定光領域Ａｍに対応する補助マスク５９および測定マスク５８としては、各々に対応するマスクパターンの遮蔽プレート等が利用できる。
【００３７】
図３において、測定マスク５８として円環状の補助光領域Ａａが遮蔽領域とされた遮蔽プレートを用いれば、内側の円形の測定光領域Ａｍにおいて光束を透過させることができ、このような測定マスク５８を光束分割部４２から照射部４３を経て光束合成部４４に至る測定光Ｌｍの光路中に設置すれば、透過する測定光Ｌｍの光束は測定光領域Ａｍに応じた小さな円形とすることができる（図６参照）。
【００３８】
図４において、補助マスク５９として小さな円形の測定光領域Ａｍが遮蔽領域とされた遮蔽プレートを用いれば、外側の補助光領域Ａａにおいて光束を透過させることができ、このような測定マスク５８を補助光束分割部５２から補助反射鏡５１ないし補助受光部５５に至る測定光Ｌｍの光路中に設置すれば、透過する補助光Ｌａの光束は補助光領域Ａａに応じた円環状とすることができる（図７参照）。
【００３９】
このような補助光学系５０が干渉計本体３０から基台１０にわたって設置されていることで、基台１０に対する干渉計本体３０の姿勢変化を高精度に測定することができる。従って、前述した走査測定において複数の測定範囲Ａの測定データを繋ぎ合わせる際に、基本的な干渉計本体３０の位置を移動機構２０のエンコーダから取得したうえ、補助光学系５０により基台１０に対する干渉計本体３０の姿勢変化を加味して補正することで、更に高精度な繋ぎ合わせを行うことができる。
さらに、補助光学系５０は、前述した測定光学系４０の要素を共用することで、機器構成の簡素化を図ることができる。
【００４０】
以下、本実施形態の干渉計本体３０において一部共用化された測定光学系４０および補助光学系５０の各要素について詳述する。
【００４１】
光源４１は、例えば、Ｈｅ−Ｎｅレーザ等、良好な可干渉性を有し、斜入射干渉計の光学系に入射した際にｐ偏光とｓ偏光の成分比が時間的に変化しないレーザ光を出射する光源などが好ましい。
光源４１から照射された原光Ｌｏは、レンズ４１１，４１２によってビーム径がより大きな平行光とされた後、補助光束分割部５２に入射される。
【００４２】
光源４１と補助反射鏡５１とは、移動機構２０の移動軸線に沿った方向に向かい合わせて配置され、光源４１から補助反射鏡５１に至る軸線上には当該軸線に対して斜め４５度でハーフミラー５２１が配置されている。
また、光源４１から補助反射鏡５１へ至る軸線と直交しかつハーフミラー５２１を通る軸線上には光束分割部４２および補助ミラー５４１が配置されている。
【００４３】
光源４１からの原光Ｌｏのうち、ハーフミラー５２１の表面で反射された光束は９０度折り曲げられて原光Ｌｏのまま光束分割部４２へと送られる。
一方、ハーフミラー５２１を透過した光束は補助光Ｌａとして直進し、補助反射鏡５１で反射されてハーフミラー５２１へ戻り、反射により９０度折り曲げられて補助ミラー５４１で反射された光束はハーフミラー５２１に戻ってこれを透過し、光束分割部４２へと送られる。
【００４４】
つまり、ハーフミラー５２１は、光源４１からの原光Ｌｏから一部を補助光Ｌａとして分割する補助光束分割部５２を構成している。
また、ハーフミラー５２１および補助ミラー５４１は、補助反射鏡５１から戻った補助光Ｌａを原光Ｌｏと合成して光束分割部４２に送る補助光束合成部５４を構成しており、このハーフミラー５２１以降の光束分割部４２、光束合成部４４、受光部４５は、補助受光部５５として共用されている。
【００４５】
補助ミラー５４１には、前述した補助マスク５９が形成され、補助ミラー５４１で反射される補助光Ｌａの光束のうち補助光領域Ａａ（図７参照）の光束のみがハーフミラー５２１へと戻るように構成されている。
補助マスク５９で補助光Ｌａの光束が補助光領域Ａａに限定されることで、補助受光部５５として共用される光束分割部４２、光束合成部４４、受光部４５においては、光束の補助光領域Ａａは専ら補助光学系５０で利用されることになる。
【００４６】
光束分割部４２は、例えば偏光ビームスプリッタ等で構成され、補助光束分割部５２からの原光Ｌｏを偏光方向が９０度ずれた２つの偏光光束に分割し、各々を測定光Ｌｍ，参照光Ｌｒとして送り出す。
偏光ビームスプリッタは、例えば２枚の板状の光学ガラス板で偏光依存性を持つ偏光膜を挟んで構成される。偏光膜は、平行光のうちＳ波偏光成分を反射し、Ｐ波偏光成分を透過させる光学特性を有する。従って、この偏光膜に原光Ｌｏを斜めに入射することで、偏光軸が９０度ずれた測定光Ｌｍ，参照光Ｌｒに分割することができる。
光束分割部４２としては、光学ガラスで形成された２個の直角プリズムで上記偏光膜を挟んで形成した直方体の偏光ビームスプリッタを用いてもよい。
分割された光束のうち、測定光Ｌｍは、照射部４３へ送られて被測定面Ｓに照射されたのち、光束合成部４４に入射される。参照光Ｌｒは、光束合成部４４へと直接送られる。
【００４７】
光束分割部４２から照射部４３に至る光路上には、前述した測定マスク５８が形成され、光束分割部４２からの測定光Ｌｍのうち測定光領域Ａｍ（図６参照）の光束のみが照射部４３へと送られるように構成されている。
測定マスク５８で測定光Ｌｍの光束が測定光領域Ａｍに限定されることで、補助受光部５５として共用される光束分割部４２、光束合成部４４、受光部４５においては、光束の測定光領域Ａｍは専ら測定光学系４０で利用されることになる。
【００４８】
照射部４３は、第１対物ミラー４３１および第２対物ミラー４３２を有する。
第１対物ミラー４３１は、光束分割部４２からの測定光Ｌｍを折り曲げて、被測定面Ｓに対して所定角度で入射させるものであり、被測定面Ｓに対する入射角度は測定精度が十分に得られるように調整される。
第２対物ミラー４３２は、被測定面Ｓで反射された測定光Ｌｍを折り曲げて、光束合成部４４に入射させるものであり、第１対物ミラー４３１と同様に被測定面Ｓに対する傾きを適宜調整される。
このような第１対物ミラー４３１および第２対物ミラー４３２は、設置高さおよび設置角度を同一とし、つまり被測定面Ｓに対する入射側と出射側とを対称とすることが好ましい。
【００４９】
光束合成部４４は、例えば光束分割部４２と同様な偏光ビームスプリッタ等で構成され照射部４３からの測定光Ｌｍと光束分割部４２からの参照光Ｌｒとを互いの光軸が重なるように合成し、検出光束Ｌｄとして受光部４５へと送り出す。
前述した通り、補助受光部５５として共用される光束分割部４２、光束合成部４４、受光部４５を廻る光路においては、補助光領域Ａａは補助光学系５０の専用経路となり、測定光領域Ａｍは測定光学系４０の専用経路とされる。
【００５０】
例えば、ハーフミラー５２１から光束分割部４２に至る光束は、補助光領域Ａａが原光Ｌｏと補助光Ｌａとの合成光束であり、測定光領域Ａｍは原光Ｌｏだけとなる。
同様に、光束分割部４２から光束合成部４４に至る光束では、補助光領域Ａａが参照光Ｌｒ（原光Ｌｏが光束分割部４２で変換された）と補助光Ｌａとの合成光束であり、測定光領域Ａｍは原光Ｌｏが変換された参照光Ｌｒとされる。
一方、照射部４３においては、補助光領域Ａａは測定マスク５８で遮蔽され、測定光領域Ａｍに原光Ｌｏから分割された測定光Ｌｍが透過され、被測定面Ｓを経由して光束合成部４４に送られる。
光束合成部４４から受光部４５へ送り出される検出光束Ｌｄは、補助光領域Ａａが参照光Ｌｒと補助光Ｌａとの合成光束であるとともに、測定光領域Ａｍは参照光Ｌｒと測定光Ｌｍとの合成光束とされる。
【００５１】
前述のように測定光領域Ａｍおよび補助光領域Ａａが独立した光路として機能することで、受光部４５で受光される検出光束Ｌｄには、図８に示すように、内側の測定光領域Ａｍには参照光Ｌｒと測定光Ｌｍとの干渉縞が現れ、外側の補助光領域Ａａには参照光Ｌｒと補助光Ｌａとの干渉縞が現れることになる。
【００５２】
受光部４５は、１／４波長板４５１と、レンズ４５２と、三分割プリズム４５３と、偏光板４５４Ａ〜４５４Ｃと、撮像素子４５５Ａ〜４５５Ｃとを備え、光束合成部４４からの検出光束Ｌｄを画像として取得する。
１／４波長板４５１は、三分割プリズム４５３の入射側に配置され、光束合成部４４から送られる合成光束を円偏光に変換する。
三分割プリズム４５３は、例えば、３つのプリズムの平面を貼り合わせて形成されており、プリズム張り合わせ面において光を反射及び透過させることで上記合成光を３つの分割光に分割する。
【００５３】
偏光板４５４Ａ〜４５４Ｃ及び撮像素子４５５Ａ〜４５５Ｃは、三分割プリズム４５３により互いに異なる３方向に分割された光にそれぞれ対応するよう設置されている。偏光板４５４Ａ〜４５４Ｃは、偏光軸の方向を互いに異ならせて配置されており、偏光板４５４Ａ〜４５４Ｃを透過して互いに異なる量だけ位相をシフトさせられた干渉縞の干渉縞画像が撮像素子４５５Ａ〜４５５Ｃにより撮像されるようになっている。
【００５４】
受光部４５には、パーソナルコンピュータ等を利用した測定部４６が接続されている。
測定部４６は、撮像素子４５５Ａ〜４５５Ｃから得られた検出光束Ｌｄの画像を処理し、干渉縞画像に基づいて公知の位相シフト法に準じた演算処理を行うとともに、登録された動作制御プログラムに基づいて、移動機構２０および干渉計本体３０を制御し、被測定面Ｓの複数の測定範囲Ａに対する走査測定を実行させる。
【００５５】
本実施形態における動作を説明する。
先ず、測定部４６を起動し、干渉計本体３０を移動機構２０より移動させて最初の測定位置に停止させ、被測定面Ｓの測定を行う。
この際、検出光束Ｌｄのうち、測定光領域Ａｍにおける干渉縞に基づいて被測定面Ｓの測定範囲Ａひとつ分の表面形状の測定データを得ることができる。
また、検出光束Ｌｄのうち、補助光領域Ａａにおける干渉縞に基づいて被測定面Ｓの各測定範囲Ａにおける干渉計本体３０の姿勢データを得ることができる。
次に、干渉計本体３０を別の測定位置に移動させ、同様に被測定面Ｓの測定を行い、同様の処理を順次繰り返す。
全ての測定が完了したら、各位置での測定データを繋ぎ合わせる。この際、各位置の位置データは移動機構２０のエンコーダから取得し、各位置における干渉計本体３０の姿勢データは、各位置での測定の際に取得しておいたものを利用する。
【００５６】
このような本実施形態によれば、以下のような効果が得られる。
干渉計本体３０を移動させつつ被測定面Ｓの測定データを取得し、これらを繋ぎ合わせる走査測定を行うことで、被測定面Ｓの全体にわたる斜入射測定データが得られる。
このような走査測定により、大きな被測定物Ｗの被測定面Ｓでも全体をカバーできるため、干渉計本体３０の測定光学系４０においては測定範囲Ａを拡大するために被測定面Ｓに対する入射角度を過剰に大きくとる必要がなく、測定範囲Ａ毎の高精度を確保することができる。
【００５７】
測定データの繋ぎ合わせにあたって、補助光学系５０により干渉計本体３０の姿勢データを高精度に取得できるため、被測定面Ｓの全体にわたる測定データも高精度とすることができる。
補助光学系５０の多くの部分を測定光学系４０と共用するため、機器の簡素可が可能であり、被測定面Ｓの測定と同様な高精度を確保することができる。
補助光学系５０と測定光学系４０とを共用する際に、補助マスク５９および測定マスク５８を用いることで、測定光領域Ａｍおよび補助光領域Ａａを独立した光路として機能させることができ、測定光学系４０および補助光学系５０のそれぞれの機能を十分に発揮させることができる。
【００５８】
〔第１実施形態の変形〕
前述した第１実施形態では、円形の測定光領域Ａｍの外周に補助光領域Ａａを設けて同心円状としたが、測定光領域Ａｍおよび補助光領域Ａａの配置パターンはこれに限定されない。
図９のように、矩形の測定光領域Ａｍの外周に補助光領域Ａａを設けてもよい。
図１０のように、外周の補助光領域Ａａは環状である必要はなく、例えばＣ字状であってもよい。
あるいは、測定光領域Ａｍおよび補助光領域Ａａの内外を逆転させてもよい。
これらの測定光領域Ａｍおよび補助光領域Ａａは、それぞれ補助マスク５９および測定マスク５８の輪郭を調整することで適宜実現することができる。
【００５９】
〔第２実施形態〕
図１１には、本発明の第２実施形態が示されている。
本実施形態の斜入射干渉計１Ａは、基本構成が前述した第１実施形態の斜入射干渉計１と同様であり、図１に示す基台１０、移動機構２０、干渉計本体３０についての重複する説明は省略する。
本実施形態では、干渉計本体３０に設置される測定光学系４０Ａおよび補助光学系５０Ａが図２の測定光学系４０および補助光学系５０と相違する。以下、相違する部分について図１１に基づいて説明する。
【００６０】
測定光学系４０Ａは、図２の測定光学系４０と同様な構成、すなわち光源４１、光束分割部４２、照射部４３、光束合成部４４、受光部４５を備えている。
但し、照射部４３には図２における測定マスク５８が省略され、原光Ｌｏと同じ大きさの測定光Ｌｍが通される。
また、本実施形態では、光束分割部４２、光束合成部４４、受光部４５を補助光学系５０Ａと共用される構成となっていない。
【００６１】
補助光学系５０Ａは、図２の測定光学系４０と同様な補助光束分割部５２、補助反射鏡５１を有する。一方、図２における補助ミラー５４１、補助マスク５９、これらを要素とする補助光束合成部５４は省略されており、補助受光部５５を測定光学系４０Ａの要素で共用する構成とはなっていない。
本実施形態では、補助光束分割部５２のハーフミラー５２１から補助反射鏡５１との間に干渉光路設定用のハーフミラー５６Ａが設置され、図２で補助ミラー５４１が設置されていた位置には補助受光部５５としての平面受光素子５５Ａおよびレンズ５７Ａが設置されている。
【００６２】
このような本実施形態では、光源４１からの原光Ｌｏは、補助光束分割部５２のハーフミラー５２１から光束分割部４２に送られ、参照光Ｌｒと測定光Ｌｍに分割されたのち、照射部４３で被測定物Ｗの被測定面Ｓを測定し、光束合成部４４で合成されて受光部４５で受光され、参照光Ｌｒと測定光Ｌｍとの干渉縞から被測定面Ｓの形状が測定される。
一方、補助光束分割部５２のハーフミラー５２１を透過した原光Ｌｏは、一部がハーフミラー５６Ａで反射されて補助参照光Ｌａｒとしてハーフミラー５２１に戻り、残りはハーフミラー５６Ａを透過して補助反射鏡５１で反射され、補助測定光Ｌａｍとしてハーフミラー５２１に戻る。ハーフミラー５２１に戻った補助参照光Ｌａｒおよび補助測定光Ｌａｍは、レンズ５７Ａを経て平面受光素子５５Ａに画像を結び、この画像には補助参照光Ｌａｒおよび補助測定光Ｌａｍによる干渉縞が現れる。
【００６３】
平面受光素子５５Ａに現れる干渉縞は、干渉計本体３０に設置されたハーフミラー５６Ａと基台１０に設置された補助反射鏡５１との相対移動を反映するものとなり、従って平面受光素子５５Ａに現れる干渉縞を処理することで干渉計本体３０と基台１０との姿勢データを取得することができる。
従って、第１実施形態と同様に、この姿勢データとともに移動機構２０の位置出力を用いれば、走査測定における測定データの繋ぎ合わせを正確に行うことができる。
【００６４】
このような本実施形態によれば、干渉計としての基本構成である測定光学系４０Ａに、補助光束分割部５２であるハーフミラー５２１、ハーフミラー５６Ａ、補助受光部５５としての平面受光素子５５Ａおよびレンズ５７Ａを追加した構成により、干渉計本体３０と基台１０との姿勢データを取得することができ、測定光学系４０Ａと補助光学系５０Ａとで光源４１を共用することができる。
【００６５】
〔第３実施形態〕
図１２には、本発明の第３実施形態が示されている。
本実施形態の斜入射干渉計１Ｂは、前述した第２実施形態と同様に、前述した第１実施形態の測定光学系４０および補助光学系５０を変更したものであり、相違する部分について図１２に基づいて説明する。
【００６６】
測定光学系４０Ｂは、前述した第２実施形態の測定光学系４０Ａと同様であり、図２の測定光学系４０から測定マスク５８が省略され、原光Ｌｏと同じ大きさの測定光Ｌｍが通される。
また、本実施形態では、光束分割部４２、光束合成部４４、受光部４５を補助光学系５０Ａと共用される構成となっていない。
【００６７】
補助光学系５０Ｂは、前述した第２実施形態の補助光学系５０Ａと同様だが、ハーフミラー５６Ａが省略され、平面受光素子５５Ｂおよびレンズ５７Ｂについては、平面受光素子５５Ｂがレンズ５７Ｂの焦点位置に設置されている。
このような補助光学系５０Ｂでは、ハーフミラー５６Ａが省略されているため、平面受光素子５５Ｂにおいて干渉縞は現れない。一方で、平面受光素子５５Ｂには補助反射鏡５１から戻った光束が焦点を結び、この焦点が結像する位置は干渉計本体３０と基台１０との姿勢の変換を表すことになる。
従って、第１実施形態と同様に、この姿勢データとともに移動機構２０の位置出力を用いれば、走査測定における測定データの繋ぎ合わせを正確に行うことができる。
【００６８】
このような本実施形態によれば、干渉計としての基本構成である測定光学系４０Ｂに、補助光束分割部５２であるハーフミラー５２１、補助受光部５５としての平面受光素子５５Ｂおよびレンズ５７Ｂを追加した構成により、干渉計本体３０と基台１０との姿勢データを取得することができ、測定光学系４０Ｂと補助光学系５０Ｂとで光源４１を共用することができる。
【００６９】
〔変形等〕
本発明は前述した各実施形態に限定されるものではなく、本発明の目的を逸脱しない範囲内の変形は本発明に含まれるものである。
例えば、基台１０、移動機構２０、干渉計本体３０の細部、測定光学系４０，４０Ａ，４０Ｂの構成および各要素は他の構成であってもよい。
補助光学系５０，５０Ａ，５０Ｂにおいても、同様な機能が得られる他の構成としてもよく、各々の配置などは適宜選択しうるものである。
【符号の説明】
【００７０】
１，１Ａ，１Ｂ…斜入射干渉計
１０…基台
２０…移動機構
２１…コラム
２２…ビーム
３０…干渉計本体
３１…ケース
４０，４０Ａ，４０Ｂ…測定光学系
４１…光源
４２…光束分割部
４３…照射部
４４…光束合成部
４５…受光部
４６…測定部
５０，５０Ａ，５０Ｂ…補助光学系
５１…補助反射鏡
５２…補助光束分割部
５４…補助光束合成部
５５…補助受光部
５５Ａ，５５Ｂ…平面受光素子
５６Ａ…ハーフミラー
５７Ａ，５７Ｂ…レンズ
５８…測定マスク
５９…補助マスク
５２１…ハーフミラー
５４１…補助ミラー
Ａ…測定範囲
Ａａ…補助光領域
Ａｍ…測定光領域
Ｌｏ…原光
Ｌｒ…参照光
Ｌｍ…測定光
Ｌａ…補助光
Ｌａｍ…補助測定光
Ｌａｒ…補助参照光
Ｌｄ…検出光束
Ｓ…被測定面
Ｗ…被測定物
【図１】
0005793355.tif 000002
【図２】
0005793355.tif 000003
【図３】
0005793355.tif 000004
【図４】
0005793355.tif 000005
【図５】
0005793355.tif 000006
【図６】
0005793355.tif 000007
【図７】
0005793355.tif 000008
【図９】
0005793355.tif 000009
【図１０】
0005793355.tif 000010
【図１１】
0005793355.tif 000011
【図１２】
0005793355.tif 000012
【図８】
0005793355.tif 000013